(57)【要約】【課題】  予め設定されたアドレスに情報データが記録されていない未ファイナライズディスクに対してもイコライザの調整を迅速に行うことができるようにする。【解決手段】  光ディスクがディスク装置にローディングされたとき、光ピックアップを光ディスクの最内周に移動させて、光ディスクを所定の回転速度で回転させ、光ピックアップのフォーカスの引込みとトラッキングの引込みとを行って、光ピックアップの動作を立ち上げ、光ピックアップの動作を立ち上げた位置で、イコライザの設定値を変更してイコライザを調整するようにする。【選択図】        図３
2006066026.tif 000002
【特許請求の範囲】
【請求項１】
光ディスクに情報データを記録再生するディスク装置であって、
光ディスクを所定の回転速度で回転させる回転手段と、光ディスクに記録された情報データを読み取る光ピックアップと、前記光ピックアップを光ディスクの半径方向に移動させる移動手段と、前記光ピックアップのフォーカスの引込みを行い、前記光ピックアップのフォーカスを制御するフォーカス制御手段と、前記光ピックアップのトラッキングの引込みを行い、前記光ピックアップのトラッキングを制御するトラッキング制御手段と、イコライザの設定値を変更してイコライザを調整する調整手段とを備え、
光ディスクがディスク装置にローディングされたとき、前記光ピックアップを前記光ディスクの最内周に移動させて、前記光ディスクを所定の回転速度で回転させ、前記光ピックアップのフォーカスの引込みとトラッキングの引込みとを行って、前記光ピックアップの動作を立ち上げ、前記光ピックアップのフォーカス外れが検出されたとき、前記光ピックアップのフォーカスの引込み直しを行い、前記光ピックアップのトラッキング外れが検出されたとき、前記光ピックアップのトラッキングの引込み直しを行って、前記光ピックアップの動作を立ち上げた位置で、イコライザの設定値を変更してイコライザを調整するようにしたことを特徴とするディスク装置。
【請求項２】
光ディスクに情報データを記録再生するディスク装置であって、
光ディスクを所定の回転速度で回転させる回転手段と、光ディスクに記録された情報データを読み取る光ピックアップと、前記光ピックアップを光ディスクの半径方向に移動させる移動手段と、前記光ピックアップのフォーカスの引込みを行い、前記光ピックアップのフォーカスを制御するフォーカス制御手段と、前記光ピックアップのトラッキングの引込みを行い、前記光ピックアップのトラッキングを制御するトラッキング制御手段と、イコライザの設定値を変更してイコライザを調整する調整手段とを備え、
光ディスクがディスク装置にローディングされたとき、前記光ピックアップを前記光ディスクの最内周に移動させて、前記光ディスクを所定の回転速度で回転させ、前記光ピックアップのフォーカスの引込みとトラッキングの引込みとを行って、前記光ピックアップの動作を立ち上げ、前記光ピックアップの動作を立ち上げた位置で、イコライザの設定値を変更してイコライザを調整するようにしたことを特徴とするディスク装置。
【請求項３】
前記フォーカス制御手段は、前記光ピックアップのフォーカス外れが検出されたとき、前記光ピックアップのフォーカスの引込み直しを行うようにしたことを特徴とする請求項２記載のディスク装置。
【請求項４】
前記トラッキング制御手段は、前記光ピックアップのトラッキング外れが検出されたとき、前記光ピックアップのトラッキングの引込み直しを行うようにしたことを特徴とする請求項２記載のディスク装置。
【請求項５】
光ディスクに情報データを記録再生するディスク装置の制御方法であって、
光ディスクがディスク装置にローディングされたとき、光ピックアップを前記光ディスクの最内周に移動させるステップと、前記光ディスクを所定の回転速度で回転させるステップと、前記光ピックアップのフォーカスの引込みとトラッキングの引込みとを行って、前記光ピックアップの動作を立ち上げるステップと、前記光ピックアップの動作を立ち上げた位置で、イコライザの設定値を変更してイコライザを調整するステップとを備えたことを特徴とするディスク装置の制御方法。
【請求項６】
前記光ピックアップのフォーカス外れが検出されたとき、前記光ピックアップのフォーカスの引込み直しを行うステップを更に備えたことを特徴とする請求項５記載のディスク装置の制御方法。
【請求項７】
前記光ピックアップのトラッキング外れが検出されたとき、前記光ピックアップのトラッキングの引込み直しを行うステップを更に備えたことを特徴とする請求項５記載のディスク装置の制御方法。
【発明の詳細な説明】
【技術分野】
【０００１】
本発明は、ＤＶＤ（Ｄｉｇｉｔａｌ  Ｖｅｒｓａｔｉｌｅ  Ｄｉｓｃ）等の光ディスクに情報データを記録再生するディスク装置に係り、特に未ファイナライズディスクに対しても信号処理回路のイコライザの調整を迅速に行うことができるディスク装置に関する。
【背景技術】
【０００２】
従来、ディスク装置の信号処理回路のイコライザの調整は、光ディスクに記録されたＴＯＣ（Ｔａｂｌｅ  ｏｆ  Ｃｏｎｔｅｎｔｓ）を光ピックアップにより読み取った後、予め設定されたアドレスへシークして、そのアドレスに記録されたアドレス等の情報データを正常に読み取ることができるように信号処理回路のイコライザの設定値を変更してイコライザの調整を行っている。しかし、ディスク装置にローディングされた光ディスクが未ファイナライズディスク等、予め設定されたアドレスに情報データが記録されていない光ディスクである場合に、予め設定されたアドレスへシークしても、そのアドレスに情報データが記録されていないため、情報データを読み取ることができず、光ディスク毎にシークするアドレスを変更して、情報データが記録されているアドレスに光ピックアップを移動させて信号処理回路のイコライザを調整しなければならないという問題点があった。
背景技術としては、光ピックアップを目標アドレスに移動させて、目標アドレスに記録されたアドレスを再生するとき、フォーカスやトラッキング等が外れたり、アドレスが正常に再生できない場合に、イコライザの特性や光ディスクの回転速度を変更して、目標アドレスに記録された目標アドレスが正常に再生されるようにしたものがあった（例えば、特許文献１参照）。
【特許文献１】特開２０００−３０６２４６号公報
【発明の開示】
【発明が解決しようとする課題】
【０００３】
しかしながら、背景技術で述べたものにおいては、光ピックアップを目標アドレスに移動させて、目標アドレスに記録されたアドレスを再生するとき、フォーカスやトラッキング等が外れたり、アドレスが正常に再生できない場合に、イコライザの特性や光ディスクの回転速度を変更して、目標アドレスに記録された目標アドレスが正常に再生されるようにすることができたが、予め設定されたアドレスに情報データが記録されていない未ファイナライズディスクの場合、光ピックアップを予め設定されたアドレスに移動させても、そのアドレスに情報データが記録されていないため、情報データを再生することができず、情報データが記録された他のアドレスに光ピックアップを移動しなければ、イコライザを調整することができないという問題点があった。
本発明は、背景技術の有するこのような問題点に鑑みてなされたものであり、その目的とするところは、予め設定されたアドレスに情報データが記録されていない未ファイナライズディスクに対してもイコライザの調整を迅速に行うことができるディスク装置を提供しようとするものである。
【課題を解決するための手段】
【０００４】
上記目的を達成するため本発明においては、光ディスクに情報データを記録再生するディスク装置であって、光ディスクを所定の回転速度で回転させる回転手段と、光ディスクに記録された情報データを読み取る光ピックアップと、前記光ピックアップを光ディスクの半径方向に移動させる移動手段と、前記光ピックアップのフォーカス引込みを行い、前記光ピックアップのフォーカスを制御するフォーカス制御手段と、前記光ピックアップのトラッキング引込みを行い、前記光ピックアップのトラッキングを制御するトラッキング制御手段と、イコライザの設定値を変更してイコライザを調整する調整手段とを備え、光ディスクがディスク装置にローディングされたとき、前記光ピックアップを前記光ディスクの最内周に移動させて、前記光ディスクを所定の回転速度で回転させ、前記光ピックアップのフォーカスの引込みとトラッキングの引込みとを行って、前記光ピックアップの動作を立ち上げ、前記光ピックアップの動作を立ち上げた位置で、イコライザの設定値を変更してイコライザを調整するようにする。
前記フォーカス制御手段は、前記光ピックアップのフォーカス外れが検出されたとき、前記光ピックアップのフォーカスの引込み直しを行うようにする。
前記トラッキング制御手段は、前記光ピックアップのトラッキング外れが検出されたとき、前記光ピックアップのトラッキングの引込み直しを行うようにする。
これらの手段により、予め設定されたアドレスに情報データが記録されていない未ファイナライズディスクに対してもイコライザの調整を迅速に行うことができる。
【発明の効果】
【０００５】
請求項１記載の発明に係るディスク装置によれば、光ディスクがディスク装置にローディングされたとき、光ピックアップを光ディスクの最内周に移動させて、光ディスクを所定の回転速度で回転させ、光ピックアップのフォーカスの引込みとトラッキングの引込みとを行って、光ピックアップの動作を立ち上げ、光ピックアップのフォーカス外れが検出されたとき、光ピックアップのフォーカスの引込み直しを行い、光ピックアップのトラッキング外れが検出されたとき、光ピックアップのトラッキングの引込み直しを行って、光ピックアップの動作を立ち上げた位置で、イコライザの設定値を変更してイコライザを調整するようにしているので、予め設定されたアドレスに情報データが記録されていない未ファイナライズディスクに対してもイコライザの設定値を変更してイコライザの調整を迅速に行うことができる。
請求項２記載の発明に係るディスク装置によれば、光ディスクがディスク装置にローディングされたとき、光ピックアップを光ディスクの最内周に移動させて、光ディスクを所定の回転速度で回転させ、光ピックアップのフォーカスの引込みとトラッキングの引込みとを行って、光ピックアップの動作を立ち上げ、光ピックアップの動作を立ち上げた位置で、イコライザの設定値を変更してイコライザを調整するようにしているので、予め設定されたアドレスに情報データが記録されていない未ファイナライズディスクに対してもイコライザの設定値を変更してイコライザの調整を迅速に行うことができる。
請求項３記載の発明に係るディスク装置によれば、光ピックアップのフォーカス外れが検出されたとき、光ピックアップのフォーカスの引込み直しを行うようにしているので、光ピックアップのフォーカス外れが検出されたとき、光ピックアップのフォーカスの引込み直しを行って、光ピックアップの動作を立ち上げた位置で、イコライザの設定値を変更してイコライザを調整することができる。
請求項４記載の発明に係るディスク装置によれば、光ピックアップのトラッキング外れが検出されたとき、光ピックアップのトラッキングの引込み直しを行うようにしているので、光ピックアップのトラッキング外れが検出されたとき、光ピックアップのトラッキングの引込み直しを行って、光ピックアップの動作を立ち上げた位置で、イコライザの設定値を変更してイコライザを調整することができる。
請求項５記載の発明に係る光ディスク装置の制御方法によれば、光ディスクがディスク装置にローディングされたとき、光ピックアップを光ディスクの最内周に移動させて、光ディスクを所定の回転速度で回転させ、光ピックアップのフォーカスの引込みとトラッキングの引込みとを行って、光ピックアップの動作を立ち上げ、光ピックアップの動作を立ち上げた位置で、イコライザの設定値を変更してイコライザを調整するようにしているので、予め設定されたアドレスに情報データが記録されていない未ファイナライズディスクに対してもイコライザの設定値を変更してイコライザの調整を迅速に行うことができる。
請求項６記載の発明に係る光ディスク装置の制御方法によれば、、光ピックアップのフォーカス外れが検出されたとき、光ピックアップのフォーカスの引込み直しを行うようにしているので、光ピックアップのフォーカス外れが検出されたとき、光ピックアップのフォーカスの引込み直しを行って、光ピックアップの動作を立ち上げた位置で、イコライザの設定値を変更してイコライザを調整することができる。
請求項７記載の発明に係る光ディスク装置の制御方法によれば、光ピックアップのトラッキング外れが検出されたとき、光ピックアップのトラッキングの引込み直しを行うようにしているので、光ピックアップのトラッキング外れが検出されたとき、光ピックアップのトラッキングの引込み直しを行って、光ピックアップの動作を立ち上げた位置で、イコライザの設定値を変更してイコライザを調整することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の動作を示す説明図であり、図３は本発明の一実施例のディスク装置の動作を示すフローチャートである。
まず、図１の本発明の一実施例のディスク装置の構成を示すブロック図を基に説明する。
ディスク装置１は、光ディスク２の記録面にレーザ光を照射して情報データを光ディスク２に記録するとともに、光ディスク２にレーザ光を照射してその反射光を検出して光ディスク２に記録された情報データを読み出す光ピックアップ３と、光ディスク２を回転させるスピンドルモータ４と、スピンドルモータ４を駆動して光ディスク２の回転速度をサーボ制御するスピンドルサーボ回路５と、光ピックアップ３を光ディスク２の半径方向に移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカスをサーボ制御するフォーカスサーボ回路９と、光ピックアップ３により読み出された情報データを基準クロックに基づいて同期検出して復調し、復調された情報データの誤りを訂正して、所定の圧縮方式に基づいて圧縮された情報データを伸張し、復号して再生するとともに、情報データを符号化して所定の圧縮方式に基づいて圧縮し、光ピックアップ３を駆動して光ディスク２に情報データを記録する信号処理回路１０と、ディスク装置１のシステム全体を制御するマイコン１１とで構成されている。
以上のように構成されたディスク装置について、以下その動作について説明する。
光ディスク２がディスク装置１にローディングされると、マイコン１１は、スレッドサーボ回路７に制御信号を送出して、スレッドモータ６を駆動して光ピックアップ３をガイドシャフト３ａに沿って光ディスク２の最内周に移動させるリゼロ処理を行い（図２（ａ）参照）、光ピックアップ３が光ディスク２の最内周に到達すると、スピンドルサーボ回路５に制御信号を送出して、スピンドルモータ４を駆動して光ディスク２を所定の回転速度で回転させ（図２（ｂ）参照）、トラッキングサーボ回路８とフォーカスサーボ回路９とに制御信号を送出して、光ピックアップ３のフォーカスの引込みとトラッキングの引込みとを行って光ピックアップ３の動作を立ち上げる。そして、フォーカス外れが検出されず、且つ、トラッキング外れが検出されない場合、マイコン１１は、光ピックアップ３を立ち上げたリゼロ位置で、光ディスク２に記録された情報データを光ピックアップ３により読み取り、光ディスク２に記録された情報データが正常に読み取れない場合、信号処理回路１０に制御信号を送出して、イコライザの設定値、即ち、イコライザのカットオフ周波数の設定値、イコライザのブースト量の設定値を変更してイコライザの調整を繰り返し行って、光ディスク２に記録された情報データが正常に読み取れるようにイコライザを調整する。これにより、予め設定されたアドレスに移動させることなく、光ピックアップ３の動作を立ち上げたリゼロ位置で、イコライザの設定値を変更してイコライザを調整することができるので、予め設定されたアドレスに情報データが記録されていない未ファイナライズディスクに対してもイコライザの設定値を変更してイコライザを迅速に調整することができる。
また、光ピックアップ３を立ち上げたリゼロ位置で、光ディスク２に記録された情報データを読み取る際に、光ピックアップ３のフォーカス外れが検出された場合、マイコン１１は、信号処理回路１０に制御信号を送出して、イコライザの設定値を変更してイコライザを調整する。イコライザの設定値を変更してイコライザを調整したとき、光ピックアップ３のフォーカス外れが検出された場合、マイコン１１は、フォーカスサーボ回路９に制御信号を送出して、光ピックアップ３のフォーカスの引込み直しを行う。そして、マイコン１１は、光ディスク２に記録された情報データを光ピックアップ３により読み取り、光ディスク２に記録された情報データが正常に読み取れない場合、信号処理回路１０に制御信号を送出して、イコライザの設定値を変更してイコライザの調整を繰り返し行って、光ディスク２に記録された情報データが正常に読み取れるようにイコライザを調整する。
また、光ピックアップ３を立ち上げたリゼロ位置で、光ディスク２に記録された情報データを読み取る際に、光ピックアップ３のトラッキング外れが検出された場合、マイコン１１は、トラッキングサーボ回路８に制御信号を送出して、光ピックアップ３のトラッキングの引込み直しを行い、光ピックアップ３のトラッキングが引込み直されたか否かを判別して、光ピックアップ３のトラッキングが引込み直されない場合、信号処理回路１０に制御信号を送出して、イコライザの設定値を変更してイコライザを調整する。イコライザの設定値を変更してイコライザを調整したとき、光ピックアップ３のフォーカス外れが検出された場合、マイコン１１は、トラッキングサーボ回路８に制御信号を送出して、光ピックアップ３のトラッキングの引込み直しを行う。そして、マイコン１１は、光ディスク２に記録された情報データを光ピックアップ３により読み取り、光ディスク２に記録された情報データが正常に読み取れない場合、信号処理回路１０に制御信号を送出して、イコライザの設定値を変更してイコライザの調整を繰り返し行って、光ディスク２に記録された情報データが正常に読み取れるようにイコライザを調整する。
また、図３の本発明の一実施例のディスク装置の動作を示すフローチャートを基に説明する。
光ディスクがディスク装置にローディングされると、ステップＳ１からステップＳ２に進み、ステップＳ２で、光ピックアップを光ディスクの最内周位置に移動させるリゼロ処理が行われて、光ディスクが所定の回転速度で回転され、光ピックアップのフォーカスの引込みとトラッキングの引込みとが行われて、リゼロ位置で光ピックアップの動作が立ち上げられ、ステップＳ３に進む。
ステップＳ３で、光ピックアップのフォーカス外れが検出されたか否かが判断され、光ピックアップのフォーカス外れが検出された場合、ステップＳ９に進み、光ピックアップのフォーカス外れが検出されていない場合、ステップＳ４に進む。
ステップＳ４で、光ピックアップのトラッキング外れが検出された否かが判断され、光ピックアップのトラッキング外れが検出された場合、ステップＳ５に進み、光ピックアップのトラッキング外れが検出されていない場合、ステップＳ７に進む。
ステップＳ５で、光ピックアップのトラッキングの引込み直しが行われて、ステップＳ６に進む。
ステップＳ６で、光ピックアップのトラッキングが引込み直されたか否かが判断され、光ピックアップのトラッキングが引込み直された場合、ステップＳ７に進み、光ピックアップのトラッキングが引込み直されていない場合、ステップＳ９に進む。
ステップＳ７で、光ピックアップ３が立ち上げられたリゼロ位置で、光ディスクに記録された情報データが読み取られて、ステップＳ８に進む。
ステップＳ８で、光ディスクに記録された情報データが正常に読み取られたか否かが判断され、光ディスクに記録された情報データが正常に読み取られた場合、ステップＳ１４に進んで処理を終了し、光ディスクに記録された情報データが正常に読み取られない場合、ステップＳ９に進む。
ステップＳ９で、信号処理回路のイコライザの設定値が変更されてイコライザが調整され、ステップＳ１０に進む。
ステップＳ１０で、光ピックアップのフォーカス外れが検出されたか否かが判断され、光ピックアップのフォーカス外れが検出された場合、ステップＳ１１に進み、光ピックアップのフォーカス外れが検出されていない場合、ステップＳ１２に進む。
ステップＳ１１で、光ピックアップのフォーカスの引込み直しが行われて、ステップＳ１２に進む。
ステップＳ１２で、光ピックアップのトラッキング外れが検出された否かが判断され、光ピックアップのトラッキング外れが検出された場合、ステップＳ１３に進み、光ピックアップのトラッキング外れが検出されていない場合、ステップＳ３に戻って、ステップＳ３からのステップを繰り返す。
ステップＳ１３で、光ピックアップのトラッキングの引込み直しが行われ、ステップＳ３に戻って、ステップＳ３からのステップを繰り返す。
【図面の簡単な説明】
【０００７】
【図１】本発明の一実施例のディスク装置の構成を示すブロック図である。
【図２】本発明の一実施例のディスク装置の動作を示す説明図である。
【図３】本発明の一実施例のディスク装置の動作を示すフローチャートである。
【符号の説明】
【０００８】
１  ディスク装置
２  光ディスク
３  光ピックアップ
３ａ  ガイドシャフト
４  スピンドルモータ
５  スピンドルサーボ回路
６  スレッドモータ
７  スレッドサーボ回路
８  トラッキングサーボ回路
９  フォーカスサーボ回路
１０  信号処理回路
１１  マイコン
【図１】
2006066026.tif 000003
【図２】
2006066026.tif 000004
【図３】
2006066026.tif 000005